(57)【要約】  津波のみならず、津波によって二次的に発生する津波火災にも対応できる耐火扉構造、及び耐火シェルターを提供する。  耐火シェルター１は、避難空間２００を形成する筐体２に枠体５（扉枠）と外扉４ａと内扉４ｂが設けられた構造である。筐体２は構造体２０と断熱層３０で構成されている。扉枠は中空構造となっており内部は充填水Ｗ２、Ｗ３が充填されている。外扉は二層中空構造になっており避難空間２００側は充填水Ｗ１が充填されており、外部側は充填空気Ａで満たされている。また、充填水Ｗ１、Ｗ２、Ｗ３が水蒸気となり気化するとき、中空構造内部の圧力上昇を抑制するために蒸気用空気抜き弁が設けられている。
2018062453.tif 000002
【特許請求の範囲】
【請求項１】
第１中空部が形成された枠体と、
第２中空部が形成されて、前記枠体に回動可能に固定された外扉と
蒸気用空気抜き弁と、を備え、
前記第１中空部、及び前記第２中空部の各々は、内部空間が水と空気で満たされており、
前記蒸気用空気抜き弁は、一方の端部が空気で満たされている空間に貫入した状態で、前記枠体及び前記外扉の各々に設けられていることを特徴とする耐火扉構造。
【請求項２】
前記蒸気用空気抜き弁の他方の端部に接続し、前記蒸気用空気抜き弁から噴出した蒸気を所定の場所に拡散する蒸気拡散装置をさらに備えることを特徴とする請求項１に記載の耐火扉構造。
【請求項３】
前記外扉は、前記枠体に対向して設けられた内側扉板と、前記内側扉板の外方に併設された外側扉板と、を有し、
前記第２中空部は、前記内側扉板の内表面に沿って形成された第１中空体と、
前記外側扉板の内表面に沿って形成された第２中空体と、を有することを特徴とする請求項１または２に記載の耐火扉構造。
【請求項４】
前記第１中空体は、複数の充填水保持体で分割されていることを特徴とする請求項３に記載の耐火扉構造。
【請求項５】
前記第２中空体は、内部空間が空気で満たされていることを特徴とする請求項３又は４に記載の耐火扉構造。
【請求項６】
前記内側扉板の外表面は、外縁に沿って環状に配設された耐火パッキンと、前記耐火パッキンの内側領域に併設された水密パッキンと、が設けられることを特徴とする請求項３から５のいずれか１項に記載の耐火扉構造。
【請求項７】
前記外側扉板は、外縁から水平に延び、さらに枠体方向に屈曲する断面視Ｌ字形の袴部を有し、
さらに、前記枠体に回動可能に固定された封止板と、
一端が前記封止板の外端部に接続し、他端が前記枠体に接続する形状記憶合金バネ装置と、を備え、
所定の温度になったとき、前記形状記憶合金バネ装置が伸び、前記封止板の端部が前記袴部に接触することを特徴とする請求項３から６のいずれか１項に記載の耐火扉構造。
【請求項８】
前記外扉の内方に対向して配置されるとともに、前記枠体に回動可能に固定された内扉をさらに備えることを特徴とする請求項１から７のいずれか1項に記載の耐火扉構造。
【請求項９】
断熱層を有するとともに、開口部が形成された筐体と、
前記開口部に設けられた請求項１から８のいずれか１項に記載の耐火扉構造と、
を備えることを特徴とする耐火シェルター。
【発明の詳細な説明】
【技術分野】
【０００１】
本発明は、津波や津波火災にも対応できる耐火扉構造及び耐火シェルターに関する。
【背景技術】
【０００２】
2011年に発生した東日本大震災では、各地で火災が相次ぎ、過去最大の津波火災が発生した。津波火災の発生原因や延焼の理由は、石油タンクや津波などによって流された船舶や車から漏れ出した燃料（重油、灯油、ガスなど）にその他の漂流物が衝突して着火し、津波の浸水域に漂流したことで、被害を拡大させたものと考えられる。【０００３】
津波災害において、自ら救命するための対策としては、シェルターが代表的なものであり、特許文献１、２に示すような基礎に固定するもの、特許文献３、４に示すような浮上式のものなど、種々のシェルターが提案されている。
【先行技術文献】
【特許文献】
【０００４】
【特許文献１】特開２０１４−０８０８４７号公報
【特許文献２】特開２０１４−１３６９１２号公報
【特許文献３】特開２０１５−２１８５７４号公報
【特許文献４】特開２０１５−０２０６０３号公報
【発明の概要】
【発明が解決しようとする課題】
【０００５】
現在提案されているシェルターは、津波から身を守るために種々の対策が講じられているが、津波火災に対して十分な対策がなされているとは言えない。すなわち、津波火災が発生した場合のシェルターの耐火性能の確保、シェルター内の温度上昇を抑制する断熱性能の確保、及び扉の変形等による水密性能の低下に対する対策が十分とは言えないなどの問題がある。
【課題を解決するための手段】
【０００６】
上記課題を解決するために、請求項１に係る発明は、耐火扉構造であって、第１中空部が形成された枠体と、第２中空部が形成されて、枠体に回動可能に固定された外扉と、蒸気用空気抜き弁を備え、第１中空部、及び第２中空部の各々は、内部空間が水と空気で満たされており、蒸気用空気抜き弁は、一端が空気で満たされている空間に貫入した状態で枠体及び外扉の各々に設けられていることを特徴とする。【０００７】
この構成によれば、枠体及び外扉は中空構造となっており、その内部に空気に比べ熱容量の大きい水が貯留されているので、火災による熱を吸収することができる。また、火炎熱で加熱されて発生した蒸気は、枠体及び扉の外部面に設けられた蒸気抜き弁から排出されるので、第１、２中空部の内部空間内の圧力の上昇を抑制することができる。さらに、内部空間内に充填された水が蒸気に変化するとき、潜熱効果が働くので、冷却効果が期待でき、枠体及び外扉の温度上昇による変形を抑制することができる。【０００８】
請求項２に係る発明は、請求項１に記載の耐火扉構造において、蒸気用空気抜き弁の他端に接続し、蒸気用空気抜き弁から噴出した蒸気を所定の場所に拡散する蒸気拡散装置をさらに備えることを特徴とする。【０００９】
この構成によれば、蒸気拡散装置は蒸気用空気抜き弁に接続されており、所定の場所、例えば、第１扉の下端部に水蒸気を拡散させた場合は、外気よりは温度の低い水蒸気が外壁面付近に拡散されることによって、外壁面が冷却される。【００１０】
請求項３に係る発明は、請求項１又は２に記載の耐火扉構造において、外扉は、枠体に対向して設けられた内側扉板と、内側扉板の外方に併設された外側扉板を有し、第２中空部は、内側扉板の内表面に沿って形成された第１中空体と、外側扉板の内表面に沿って形成された第２中空体を有することを特徴とする。【００１１】
この構成によれば、第２中空部は、内扉板の内表面に沿って形成されたた第１中空体と、外扉板の内表面に沿って形成された第２中空体の２つの中空体を有する２層構造となっているので、断熱効果をより一層高めることができる。【００１２】
請求項４に係る発明は、請求項３に記載の耐火扉構造において、第１中空体は、複数の充填水保持体で分割されていることを特徴とする。【００１３】
この構成によれば、第１中空体は、複数の充填水保持体で分割されているので、一部分が何らかの原因で破損したとしても第１中空体に満たされた水のすべてが外部に流出することがなく、一定の断熱効果を得ることができる。【００１４】
請求項５に係る発明は、請求項３又は４に記載の耐火扉構造において、第２中空体は、内部空間が空気で満たされていることを特徴とする。【００１５】
この構成によれば、第２中空体は内部空間が空気で満たされているので、外扉の軽量化を図ることができる。これにより、外扉の開閉が容易となる。【００１６】
請求項６に係る発明は、請求項３から５のいずれか１項に記載の耐火扉構造において、内側扉板の外表面は、外縁に沿って環状に配設された耐火パッキンと、耐火パッキンの内側領域に併設された水密パッキンと、が設けられることを特徴とする。【００１７】
この構成によれば、外扉を構成する内側扉板の外表面は、外縁に沿って環状に配設され水密パッキンが設けられので、枠体と外扉との水密性能を向上させることができる。【００１８】
しかしながら、水密パッキンは耐熱性能が低く津波によって二次的に発生した津波火災による高熱で溶解するおそれがある。外扉は、耐火性能を具備する耐火パッキンが、水密パッキンの外側領域に併設されているので、津波火災による高熱から水密パッキンを保護することができる。【００１９】
請求項７に係る発明は、請求項３から６のいずれか1項に記載の耐火扉構造において、外側扉板は、外縁から水平に延び、さらに枠体方向に屈曲する断面視Ｌ字形の袴部を有し、さらに、枠体に回動可能に固定された封止板と、一端が前記封止板の外端部に接続し、他端が前記枠体に接続する形状記憶合金バネ装置を備え、所定の温度になったとき、形状記憶合金バネ装置が伸び、封止板の端部が前記袴部に接触することを特徴とする。【００２０】
この構成によれば、外側扉板は、外縁から水平に延び、さらに枠体方向に屈曲する断面視L型形状の袴部を有する構造となっており、さらに、枠体に回動可能に固定された封止板と、一端が前記封止板の外端部に接続し、他端が前記枠体に接続する形状記憶合金バネ装置を備え、所定の温度になったとき、形状記憶合金バネ装置が伸び、封止板の端部が前記袴部に接触するので、火炎の侵入を防止することができる。【００２１】
請求項８に係る発明は、請求項１から７のいずれか1項に記載の耐火扉構造において、外扉の内方に対向して配置されるとともに、枠体に回動可能に固定された内扉をさらに備えることを特徴とする。【００２２】
この構成によれば、耐火扉構造は、外扉の内方に対向して配置されるとともに、枠体に回動可能に固定された内扉をさらに備えるので、外扉と内扉との間に空気層を形成することができ、断熱効果を高めることができる。【００２３】
また、何等かの原因で、外扉が破損し津波に起因する水が浸入したとしても、内扉で避難空間への水の侵入を防止することができる。すなわち、津波による災害について多重防護機能を有する。【００２４】
請求項９に係る発明は、耐火シェルターであって、断熱層を有するとともに、開口部が形成された筐体と、開口部に設けられた請求項１から８のいずれか１項に記載の耐火扉構造を備えることを特徴とする。【００２５】
この構成によれば、耐火シェルターは、断熱層を有するとともに、開口部が形成された筐体と、開口部に設けられた請求項１から８のいずれか１項に記載の耐火扉構造を備えるので、津波火災に耐えうるとともに、耐火シェルター内の温度上昇を抑制することができる。
【図面の簡単な説明】
【００２６】
【図１】本発明実施形態の筐体の内部構造を説明する耐火シェルターの概略平面図である。
【図２】同じく耐火シェルターの設置状況と筐体及び枠体の内部構造を説明する      概略正面図である。
【図３】同じく枠体、外扉、封止板及び内扉の取り合いを説明する省略平断面図である。
【図４】同じく（ａ）は、外扉の内部構造を説明する側断面図である。（ｂ）は、内扉の内部構造を説明する側断面図である。（ｃ）は、外枠の内部構造を説明する側断面図である。（ｄ）は、内枠の内部構造を説明する側断面図である。
【図５】同じく外扉の内側表面の構造を説明する図である。
【発明を実施するための形態】
【００２７】
以下、図面を参照しながら、本発明の好ましい実施形態について説明する。
【００２８】
図１、図２に示す通り、本発明実施形態の耐火シェルター１は、筐体２と耐火扉構造４から構成されている。また、コンクリート基礎１００に立脚し、一部が地下に埋設されている半地下形式の構造物である。これにより耐火シェルター１が、津波によって生じる波力等を受けた場合でも、流されて漂流することを回避できる。
【００２９】
筐体２について説明する。筐体２は、構造体２０と断熱層３０等で構成されている。構造体２０は、円筒体の壁構造材２１と、円盤状の天井構造材２２と、円盤状の床構造材２３を有する有底、有天井の円筒体であり、内部は避難空間２００となっている。筐体２には開口部２１０が形成されている。壁構造材２１、天井構造材２２、及び床構造材２３の材質は鋼板であり、所定の津波荷重に耐える強度を有している。内径１４００ｍｍ、高さ２８００ｍｍ、鋼板厚さ９ｍｍのものが例示される。これによれば、１７ｍの津波高さに耐えうる。
【００３０】
筐体２の天井部分の所定の場所に、緊急時、外部に脱出可能となる、取外し可能な蓋（図示略）を備えている。
【００３１】
構造体２０の外側に断熱層３０が設けられている。断熱層３０は、壁断熱材３１と、天井断熱材３２と、床断熱材３３で構成されている。断熱層３０は、火炎熱を遮熱し避難空間２００内の温度上昇を抑制するものである。壁断熱材３１、天井断熱材３２、及び床断熱材３３は、芯材３５となる硬質ロックウールの表面を、被覆材３６で被う構造である。被覆材３６としてはアルミ亜鉛合金メッキ鋼板であることが好ましい。硬質ロックウールの厚さは所定の時間、例えば２時間の火炎に耐えうる厚さである。
【００３２】
なお、壁断熱材３１、天井断熱材３２、及び床断熱材３３は、軽量気泡コンクリート板でもよい。壁断熱材３１に軽量気泡コンクリート板を用いる場合は、壁構造材２１との間に生じる隙間をコンクリートで充填することが好ましい。
【００３３】
天井断熱材３２は、所定の間隔で設けられた貫通孔３３１に、天井構造材２２に固定されたボルト３２１ａを貫通させ、ナット３２１ｂで締め付けることにより天井構造材２２に固定されている。床断熱材３３も同様の方法で所定の間隔で設けられた貫通孔３３２に、床構造材２３に固定されたボルト３２２ａを貫通させ、ナット３２２ｂで締め付けることにより床構造材２３に固定されている。壁断熱材３１は、壁構造材２１の外面に固定された図１に示す固定金具２４ａ、２４ａ間、又は図１に示す固定金具２４a、図３に示す２４ｂ間に設けられた空間に挿通することによって壁構造材２１に固定されている。固定金具２４ａは、Ｔ形断面の板であり、ＣＴ形鋼であることが好ましい。固定金具２４ｂは、平板状の板であり、平鋼であることが好ましい。市場に流通する汎用の形鋼を使用することで製作コストを削減できる。後述する枠体５、充填水保持体４４等についても同様の理由で、形鋼であることが好ましい。
【００３４】
耐火扉構造４について説明する。耐火扉構造４は、開口部２１０に設けられており、枠体５、外扉４ａ、及び内扉４ｂから構成されている。
【００３５】
枠体５は、外枠体５１、５１と内枠体５２で構成されている。外枠体５１、５１は、有底板、有上板の外枠中空体５１ａが形成された角筒体であり、開口部２１０の周方向縁部に沿って、対向して設けられている。内枠体５２は、角筒体を四方に組んだ矩形フレームであり、内面、及び外面に外扉４ａ、及び内扉４ｂを拘持するための受け板５２１が設けられている。この角筒体の矩形フレームで形成される内枠中空体５２ａは、部材ごとに独立しているのではなく、互いに連通して一体となっている。外枠中空体５１ａと内枠中空体５２ａによって第１中空部３ａが構成される。内枠体５２の左右の端面は外枠体５１、５１の端面に当接し固定され、上下の端面は筐体２の開口部外縁に当接し固定されている。外枠体５１、内枠体５２で用いる角筒体は角形鋼管パイプであることが好ましい。受け板５２１は、細長い平板であり、平鋼であることが好ましい。
【００３６】
図３、及び図４に示す通り、外枠体５１及び内枠体５２の閉空間のほぼ全体に充填水Ｗ２、３が貯留されており、その上部に若干の充填空気Ａ２、３が存在している。充填水Ｗ２、３は、水の潜熱効果で火炎熱による外枠体５１、及び内枠体５２の温度上昇を抑制するためのものである。
【００３７】
外枠体５１の上面の中心付近に1個、内枠体５２の左右両端フレームの上面の中心付近に各々１個ずつ合計２個の蒸気用空気抜き弁（以後、空気抜き弁と呼ぶ）４１ｂ、ｃが、外枠体５１及び内枠体５２の上板並びに天井断熱材３２を貫通して取り付けられている。空気抜き弁４１ｂ、ｃは、充填水Ｗ２、３が火炎熱により加熱され気化することで発生する水蒸気を外部に放出するための弁である。これにより、外枠体５１、及び内枠体５２に形成される閉空間の圧力上昇を抑制することができる。空気抜き弁４１ｂ、ｃの蒸気取り入れ口は、充填空気Ａ２、３に貫入しており、蒸気排出口は天井断熱材３２から突出し大気に接している。なお、外枠体５１に取り付けられている空気抜き弁は２個以上でもよく、内枠体５２に取り付けられている空気抜き弁は１個でもよく、また３個以上でもよい。
【００３８】
外扉４ａは、外枠体５１に丁番３００ａで矢印Ｘ１方向（外方）に向かって回動可能に取り付けられており、内側扉板４１と、充填水保持体４４と、スペース材４５と外側扉板４２と縁材４３で構成されている。
【００３９】
内側扉板４１は、避難空間２００側に設けられた矩形の平板であり、構造体２０と同様に所定の津波荷重に耐える強度を有している。従って、構造体２０と同様の素材・厚さであることが好ましい。
【００４０】
充填水保持体４４は複数の角筒体で構成されている。角筒体は内側扉板４１の矢印Ｘ１方向側の外表面の全面に、隙間なく連接されて固定されている。角筒体の上面及び下面は縁材４３に固着しており、内部は第１中空体４４ａを形成している。この第１中空体４４ａのほぼ全体に充填水Ｗ１が貯留されており、その上部に若干の充填空気Ａ１が存在している。また、複数の角筒体に存在している充填空気Ａ１を連通させるため、角筒体が相互に接触する面の上端部に切欠き部４６が設けられている。角筒体は角型鋼管パイプであることが好ましい。なお、充填水保持体４４は、内側扉板４１と、縁材４３と、内側扉板４１に対向して設けられ、かつ外縁が縁材４３に固定された矩形の平板で構成してもよい。
【００４１】
充填水保持体４４の外側の上端、中間、下端に所定の離隔距離を確保するためのスペース材４５が取り付けられ、さらに、その外側に外側扉板４２が取り付けられている。また、外側扉板４２の外縁と、内側扉板４１の外縁は縁材４３を介して相互に固定されている。これにより、充填水保持体４４の前面に、充填空気Ａが充填された第２中空体４５ａが形成され、断熱効果が期待できる。スペース材４５は角筒体であり角型鋼管パイプであることが好ましい。なお、溝形鋼、Ｈ形鋼であってもよい。外側扉板４２は鋼板であることが好ましい。
【００４２】
第２中空部３ｂは、第１中空体４４ａ、及び第２中空体４５ａで構成されている。なお、本実施形態では、外扉４ａに第１中空体４４ａ、及び第２中空体４５ａを形成したが、これに限定されるものではなく、第１中空体４４ａのみを形成してもよい。
【００４３】
外側扉板４２は、外側扉板４２の外縁から、水平に延び、さらに枠体５の方向に直角に屈曲した断面視Ｌ字形の袴部４８を有している。袴部４８は、後述する封止板７１等と一体となって、火災時において枠体５と外扉４ａの間の隙間を防ぐとともに、耐火シェルター１の耐火性能を向上させるためのものである。
【００４４】
本実施形態では、袴部４８は、外側扉板４２の左端外縁、右端外縁、上端及び下端外縁のすべての外縁に設けているが、任意の１つの外縁、２つの外縁又は３つの外縁に設けてもよい。
【００４５】
外扉４ａの上端部に、２個の空気抜き弁４１ａが取り付けられている。空気抜き弁４１ａの蒸気取り入れ口は、充填空気Ａ１に貫入しており、蒸気排出口は外側扉板４２から突出し大気に接している。
【００４６】
外扉４ａの上端部に取り付けられている２個の空気抜き弁４１ａのうち、1個の蒸気排出口は、蒸気拡散装置５６と接続している。蒸気拡散装置５６は、火炎熱で発生した水蒸気を外部に放出するためのものであり、外側扉板４２の外表面に配置され、下端部で水蒸気を拡散できる構造となっている。蒸気拡散装置５６は、蒸気排出口から蒸気を取り込み、その蒸気を所定の場所に誘導する誘導管５７と、誘導管５７の誘導方向を転換する屈曲管５８と、誘導した蒸気を外部に噴出し拡散する拡散管５９で構成されている。誘導管５７は円管であり、屈曲管５８は屈曲した円管であり、拡散管５９は円管でかつ、表面に多数の孔が設けられている。水蒸気は、この孔から噴出しながら拡散する。さらに、外気よりは温度の低い水蒸気が外壁面付近に拡散されることにより、外壁面が冷却される。
【００４７】
内扉４ｂは、外扉４ａの矢印Ｘ２方向（内方）側に配設され、内枠体５２に丁番３００ｂで矢印Ｘ２方向に向かって回動可能に取り付けられている。内扉４ｂは、矩形の平板であり、素材としては鋼板であることが好ましい。
【００４８】
凹部が形成された保持容器９３ａは、内側扉板４１の外表面に、外縁に沿って環状に取り付けられている。保持容器９３ａの外側凹部に耐火パッキン９２ａが、内側凹部に水密パッキン９１ａ、９１ａが保持されている。
【００４９】
凹部が形成された保持容器９３ｂは、上下方向に延びる縁材４３に対向する外枠体５１の面に取り付けられている。保持容器９３ｂの凹部に耐火パッキン９２ｂ、９２ｂが保持されている。
【００５０】
凹部が形成された保持容器９３ｃは、内枠体５２の枠面に対向する内扉４ｂ表面に、外周域に沿って環状に取り付けられている。保持容器９３ｃの凹部に水密パッキン９１ｃ、９１ｃが保持されている。
【００５１】
耐火パッキン９２ａ、ｂは、耐火シートを巻いて保持容器９３ａ、９３ｂに収容したものであり、火炎熱から水密パッキン９１ａ、ｃを保護するためのものである。熱が伝わると耐火パッキン９２ａ、ｂが膨張することにより、保持容器９３ａ、９３ｂの高さよりも突出する構造である。これによって、熱に弱い水密パッキン９１ａ、９１ｃを、火炎による高熱から、保護することができる。
【００５２】
耐火シートは、主にアラミド繊維、フッ素繊維、炭素繊維、膨張黒鉛繊維、ポリテトラフルオロエチレン（ＰＴＦＥ）繊維、ポリイミド繊維、ポリフェニレンサルファイド（ＰＰＳ）繊維を網組等したシート、織布の繊維にアルミを溶着し、その上に劣化を防ぐ樹脂をコーティングしたデュポン社のタイベック（登録商標）シルバーシートを巻回した構造が挙げられる。繊維シートを丸めた形状とすることで、温度上昇に対して膨張を可能とする構造である。
【００５３】
なお、本実施形態では水密パッキン９１ａ、ｃ及び耐火パッキン９２ａ、ｂを、凹部が形成された保持容器９３ａ、ｂ、ｃで保持しているが、これに限定されるものではなく、例えば、水密パッキン９１ａ、ｃ、及び耐火パッキン９２ａ、ｂを板状の保持部材で形成される凹部に保持してもよい。
【００５４】
封止板７１は枠体５に丁番３００ｄで回動可能に固定されており、火炎熱で外部の温度が上昇したとき、袴部４８に接触することにより火炎の侵入を防止するためのものである。本実施形態では、左右の外枠体５１，５１及び上下の内枠体５２に設けているが、所定の場所に設けられた袴部４８に対向して設けることは勿論である。
【００５５】
形状記憶合金バネ装置７２は、一端は封止板７１の外端部のほぼ中央と、他端は外枠体５１又は内枠体５２に接続している。形状記憶合金バネ装置７２は、火炎熱で外部の温度が上昇したとき、一端が封止板７１の方向に向かって伸びることによって、封止板７１を袴部４８に接触させるためのものである。形状記憶合金バネ装置７２の長さは、常温状態で、封止板７１と外枠体５１又は内枠体５２表面のなす角度が、断面視でほぼ９０度となり、最小の長さとなることが好ましい。本実施形態では、１つの封止板７１に対し１個の形状記憶合金バネ装置７２を設けているが、複数個の形状記憶合金バネ装置７２を設けてもよい。
【００５６】
図５に示す通り、外扉４ａの内部側には、扉をロックするロック装置４００ａが設けられている。また、内扉４ｂの内部側にもロック装置４００ｂが設けられている。
これにより、水密パッキン９１ａ、ｃを所定の力で押圧することができ耐水性能を向上させることができる。
【産業上の利用可能性】
【００５７】
本発明は、緊急避難用のシェルターの他、書庫、重要書類を保管する保管庫等にも適用できる。
【符号の説明】
【００５８】
１・・・・・・・・・・・・避難用耐火シェルター
２・・・・・・・・・・・・筐体
３ａ・・・・・・・・・・・第１中空部
３ｂ・・・・・・・・・・・第２中空部
１００・・・・・・・・・・コンクリート基礎
２００・・・・・・・・・・避難空間
２１０・・・・・・・・・・開口部
２０・・・・・・・・・・・構造体
４・・・・・・・・・・・・耐火扉構造
４ａ・・・・・・・・・・・外扉
４ｂ・・・・・・・・・・・内扉
４１ａ、ｂ、ｃ・・・・・・空気抜き弁
４４・・・・・・・・・・・充填水保持体
４４ａ・・・・・・・・・・第１中空体
４５ａ・・・・・・・・・・第２中空体
５・・・・・・・・・・・・枠体
５１・・・・・・・・・・・外枠体
５２・・・・・・・・・・・内枠体
５１ａ・・・・・・・・・・外枠中空体
５２ａ・・・・・・・・・・内枠中空体
５２１・・・・・・・・・・受け板
Ｗ１、Ｗ２、Ｗ３・・・・・充填水
Ａ、Ａ１、Ａ２、Ａ３・・・充填空気
４１・・・・・・・・・・・内側扉板
４２・・・・・・・・・・・外側扉板
４８・・・・・・・・・・・袴部
５６・・・・・・・・・・・蒸気拡散装置
７１・・・・・・・・・・・封止板
７２・・・・・・・・・・・形状記憶合金バネ装置
９１ａ、ｃ・・・・・・・・水密パッキン
９２ａ、ｂ・・・・・・・・耐火パッキン
９３ａ、ｂ、ｃ・・・・・・保持容器
４００ａ、ｂ・・・・・・・ロック装置
Ｘ１・・・・・・・・・・・矢印（外方）
Ｘ２・・・・・・・・・・・矢印（内方）
【図１】
2018062453.tif 000003
【図２】
2018062453.tif 000004
【図３】
2018062453.tif 000005
【図４】
2018062453.tif 000006
【図５】
2018062453.tif 000007
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
第１中空部が形成された枠体と、
第２中空部が形成されて、前記枠体に回動可能に固定された外扉と、
水蒸気を外部に放出する蒸気用空気抜き弁と、を備え、
前記第１中空部、及び前記第２中空部の各々は、内部空間が充填水と充填空気で満たされており、
前記蒸気用空気抜き弁は、一方の端部が前記充填空気で満たされている空間に貫入した状態で、前記枠体及び前記外扉の各々に設けられていることを特徴とする耐火扉構造。
【請求項２】
前記第２中空部に設けられた前記蒸気用空気抜き弁の他方の端部に接続し、前記蒸気用空気抜き弁から噴出した蒸気を外部に拡散する蒸気拡散装置をさらに備えることを特徴とする請求項１に記載の耐火扉構造。
【請求項３】
前記外扉は、前記枠体に対向して設けられた内側扉板と、前記内側扉板の外方に併設された外側扉板と、を有し、
前記第２中空部は、前記内側扉板の内表面に沿って形成された第１中空体と、
前記外側扉板の内表面に沿って形成された第２中空体と、を有することを特徴とする請求項１または２に記載の耐火扉構造。
【請求項４】
前記第１中空体は、複数の充填水保持体で分割されていることを特徴とする請求項３に記載の耐火扉構造。
【請求項５】
前記第２中空体は、内部空間が空気で満たされていることを特徴とする請求項３又は４に記載の耐火扉構造。
【請求項６】
前記内側扉板の外表面は、外縁に沿って環状に配設された耐火パッキンと、前記耐火パッキンの内側領域に併設された水密パッキンと、が設けられることを特徴とする請求項３から５のいずれか１項に記載の耐火扉構造。
【請求項７】
前記外側扉板は、外縁から水平に延び、さらに枠体方向に屈曲する断面視Ｌ字形の袴部を有し、
さらに、前記枠体に回動可能に固定された封止板と、
一端が前記封止板の外端部に接続し、他端が前記枠体に接続する形状記憶合金バネ装置と、を備え、
所定の温度になったとき、前記形状記憶合金バネ装置が伸び、前記封止板の端部が前記袴部に接触することを特徴とする請求項３から６のいずれか１項に記載の耐火扉構造。
【請求項８】
前記外扉の内方に対向して配置されるとともに、前記枠体に回動可能に固定された内扉をさらに備えることを特徴とする請求項１から７のいずれか1項に記載の耐火扉構造。
【請求項９】
断熱層を有するとともに、開口部が形成された筐体と、
前記開口部に設けられた請求項１から８のいずれか１項に記載の耐火扉構造と、
を備えることを特徴とする耐火シェルター。
【手続補正２】
【補正対象書類名】明細書
【補正対象項目名】０００６
【補正方法】変更
【補正の内容】
【０００６】
上記課題を解決するために、請求項１に係る発明は、耐火扉構造であって、第１中空部が形成された枠体と、第２中空部が形成されて、枠体に回動可能に固定された外扉と、水蒸気を外部に放出する蒸気用空気抜き弁を備え、第１中空部、及び第２中空部の各々は、内部空間が充填水と充填空気で満たされており、蒸気用空気抜き弁は、一端が充填空気で満たされている空間に貫入した状態で枠体及び外扉の各々に設けられていることを特徴とする。
【手続補正３】
【補正対象書類名】明細書
【補正対象項目名】０００７
【補正方法】変更
【補正の内容】
【０００７】
この構成によれば、枠体及び外扉は中空構造となっており、その内部に空気に比べ熱容量の大きい充填水が貯留されているので、火災による熱を吸収することができる。また、火炎熱で加熱されて発生した蒸気は、枠体及び扉の外部面に設けられた蒸気抜き弁から排出されるので、第１、２中空部の内部空間内の圧力の上昇を抑制することができる。さらに、内部空間内に充填された充填水が蒸気に変化するとき、潜熱効果が働くので、冷却効果が期待でき、枠体及び外扉の温度上昇による変形を抑制することができる。
【手続補正４】
【補正対象書類名】明細書
【補正対象項目名】０００８
【補正方法】変更
【補正の内容】
【０００８】
請求項２に係る発明は、請求項１に記載の耐火扉構造において、第２中空部に設けられた蒸気用空気抜き弁の他端に接続し、蒸気用空気抜き弁から噴出した蒸気を外部に拡散する蒸気拡散装置をさらに備えることを特徴とする。
【手続補正５】
【補正対象書類名】明細書
【補正対象項目名】０００９
【補正方法】変更
【補正の内容】
【０００９】
この構成によれば、第２中空部に設けられた蒸気拡散装置は蒸気用空気抜き弁に接続されており、外部の所定の場所、例えば、第１扉の下端部に水蒸気を拡散させた場合は、外気よりは温度の低い水蒸気が外壁面付近に拡散されることによって、外壁面が冷却される。
【国際調査報告】
2018062453.tif 000008
2018062453.tif 000009
2018062453.tif 000010
2018062453.tif 000011